(57)【特許請求の範囲】
【請求項１】
接続端子が先端に設けられた一端部を有するケーブルと、前記ケーブルに沿って該ケーブルの延長方向に移動可能なように該ケーブルに遊嵌されたクランプと、を備え、前記ケーブルの一端部が曲げられ且つ該一端部の先端の前記接続端子が被接続部に電気的に接続された状態で、前記接続端子を前記被接続部に接続するための前記ケーブルの曲げ作業をするのに十分な長さを確保することが困難な固定位置の被固定部に前記クランプが固定されるワイヤハーネスの配索方法であって、
前記クランプを前記ケーブルの一端部から離間するように前記ケーブルの他端部の方へ移動させておき、前記ケーブルの前記接続端子を前記被接続部に接続した後に、前記クランプを前記ケーブルの一端部へ向けて移動させ、そして該クランプを前記被固定部に固定することを特徴とするワイヤハーネスの配索方法。
【請求項２】
配索する前記ワイヤハーネスが、複数本の前記ケーブルを備え、前記クランプによって前記ケーブルが互いに間隔をあけて保持されていることを特徴とする請求項１に記載したワイヤハーネスの配索方法。
【発明の詳細な説明】
【技術分野】
【０００１】
本発明は、自動車等の車両に用いられるワイヤハーネスおよびその配索方法に関する。
【背景技術】
【０００２】
自動車等の車両に用いられるワイヤハーネスは、その延長方向の所定箇所がクランプにより固定された状態で配索されている。そして当該ワイヤハーネスの接続端子は、相手方の端子台等といった被接続部に電気的に接続される。
【０００３】
電気自動車、ハイブリッド車、等のように、モータを搭載した車両においては、搭載するワイヤハーネスに、導電性の編組で覆ったシールドケーブルが用いられ、アース接地された被取付体に編組を電気的に接続することにより、シールドケーブルから外部への電磁波の漏洩を防止している（例えば、特許文献１参照）。こういった電気自動車、ハイブリッド車、等に搭載され、且つ高圧大電流が流されるワイヤハーネスには、一般に、径が太く且つ剛性が高いシールドケーブルが用いられる。したがって、このようなワイヤハーネスのシールドケーブルは、それぞれ固くて曲がりにくい特性を持つ。
【先行技術文献】
【特許文献】
【０００４】
【特許文献１】特開２００２−３２４６２７号公報
【発明の概要】
【発明が解決しようとする課題】
【０００５】
そのため、クランプによってシールドケーブルをその延長方向に不動に固定する構成の場合、当該シールドケーブルの固定箇所が、接続端子を先端に持つ該シールドケーブルの一端部の近傍（隣）に位置していると、接続端子を相手方の端子台（即ち、被接続部）に電気的に接続すべく該シールドケーブルの一端部を曲げようとすれば、当該一端部の自由度の低さ、短さ、および剛性の高さから、かなりの力や技量を要する。
【０００６】
しかしながら、実際の車両では、接続端子を先端に持つシールドケーブルの一端部が極力余長とならないように当該シールドケーブルの一端部近傍の部分が被接続部の近くの被固定部にクランプによって延長方向に不動に固定された後、接続端子を被接続部へ電気的に接続するために該シールドケーブルが前述の一端部の所で湾曲される配索レイアウトをとっているため、接続端子の被接続部への接続作業を円滑に行なうことができなかった。
【０００７】
本発明は、上述した事情に鑑みてなされたものであり、その目的は、配索レイアウトに影響されることなく、接続端子を容易に被接続部へ接続して配索することが可能なワイヤハーネスおよびその配索方法を提供することにある。
【課題を解決するための手段】
【００１０】
前述した目的を達成するために、本発明に係るワイヤハーネスの配索方法は、下記（１）および（２）を特徴としている。
（１）  接続端子が先端に設けられた一端部を有するケーブルと、前記ケーブルに沿って該ケーブルの延長方向に移動可能なように該ケーブルに遊嵌されたクランプと、を備え、前記ケーブルの一端部が曲げられ且つ該一端部の先端の前記接続端子が被接続部に電気的に接続された状態で、前記接続端子を前記被接続部に接続するための前記ケーブルの曲げ作業をするのに十分な長さを確保することが困難な固定位置の被固定部に前記クランプが固定されるワイヤハーネスの配索方法であって、
前記クランプを前記ケーブルの一端部から離間するように前記ケーブルの他端部の方へ移動させておき、前記ケーブルの前記接続端子を前記被接続部に接続した後に、前記クランプを前記ケーブルの一端部へ向けて移動させ、そして該クランプを前記被固定部に固定すること。
（２）  上記（１）のワイヤハーネスの配索方法において、
配索する前記ワイヤハーネスが、複数本の前記ケーブルを備え、前記クランプによって前記ケーブルが互いに間隔をあけて保持されていること。
【００１１】
上記（１）のワイヤハーネスの配索方法では、ケーブルに対して該ケーブルの延長方向に移動可能に設けられているクランプを該ケーブルの一端部から離間するように該ケーブルの他端部の方へ移動させておき、該ケーブルの接続端子を被接続部に接続した後に、クランプをケーブルの一端部へ向けて移動させ、そして該クランプを被固定部に固定するので、該クランプによりケーブルを所定位置に保持させることができる。
そのため、接続端子を被接続部に接続するためのケーブルの曲げ作業をするのに十分な長さを確保することができる。たとえ、ケーブルが高圧大電流用であるために径が太く且つ剛性が高いシールドケーブルであり、しかも配索レイアウトが上述の一端部の所で湾曲される配索レイアウトであったとしても、クランプにより延長方向に不動に固定されていないケーブルを持って該ケーブルの自由度の高い状態の一端部を円滑に湾曲させながら接続端子の被接続部への接続作業を行ない、そしてその接続作業後にクランプを被固定部に固定すればよいのである。このように接続作業を容易に行なえ、よってワイヤハーネスの配索に係る作業性は著しく向上する。
また、クランプがケーブルに対して該ケーブルの延長方向に移動可能であるので、クランプでケーブルをその延長方向に不動に固定する構造と比較して、ケーブル長や被固定部の位置等の寸法交差を無視でき、クランプを被固定部へ円滑に配置して固定することができる。
上記（２）のワイヤハーネスの配索方法では、複数本のケーブルを配線した後に、クランプを移動させて被固定部へ固定することにより、被固定部においてクランプに複数本のケーブルを互いに間隔をあけて保持させることができる。
【発明の効果】
【００１２】
本発明によれば、配索レイアウトに影響されることなく、接続端子を容易に被接続部へ接続して配索することが可能なワイヤハーネスおよびその配索方法を提供できる。
【００１３】
以上、本発明について簡潔に説明した。更に、以下に説明される発明を実施するための形態を添付の図面を参照して通読することにより、本発明の詳細は更に明確化されるであろう。
【図面の簡単な説明】
【００１４】
【図１】本発明に係るワイヤハーネスを説明するワイヤハーネスの配索箇所の斜視図である。
【図２】ワイヤハーネス（即ち、シールドケーブル）の端部およびその周辺部分の斜視図である。
【図３】給電用シールドケーブルにおけるクランプの取り付け箇所の斜視図である。
【図４】給電用シールドケーブルに取り付けられるクランプの斜視図である。
【図５】ワイヤハーネスの配索方法を説明する第１の概略平面図である。
【図６】ワイヤハーネスの配索方法を説明する第２の概略平面図である。
【図７】ワイヤハーネスの配索方法を説明する第３の概略平面図である。
【図８】給電用シールドケーブルの端部近傍の所定箇所にクランプを固着させたワイヤハーネスの配索例を示す斜視図である。
【発明を実施するための形態】
【００１５】
以下、本発明に係る実施の形態の例を、図面を参照して説明する。
【００１６】
図１は本発明に係るワイヤハーネスを説明するワイヤハーネスの配索箇所の斜視図、図２はワイヤハーネス（即ち、シールドケーブル）の端部およびその周辺部分の斜視図、図３は給電用シールドケーブルにおけるクランプの取り付け箇所の斜視図、そして図４は給電用シールドケーブルに取り付けられるクランプの斜視図である。
【００１７】
図１および図２に示すように、ワイヤハーネス１１は、例えば、電気自動車、ハイブリッド車、等といった車両に用いられるもので、例えば、バッテリー（不図示）とインバータ１２とに電気的に接続される。
【００１８】
このワイヤハーネス１１は、高圧大電流が流される径が太く且つ剛性が高い複数の給電用シールドケーブル（即ち、ケーブル）２１と、信号用シールドケーブル２３とを有している。これら給電用シールドケーブル２１および信号用シールドケーブル２３は、途中で束ねられ、延長方向（即ち、長手方向）の複数箇所が、車体のフレーム２５に、固定具２６によって固定されている。
【００１９】
これら給電用シールドケーブル２１および信号用シールドケーブル２３は、中心に設けられた導体の周囲を、絶縁体を介して編組からなるシールド層によって覆った構造を有しており、最外周が粘着テープ等で形成された外被によって覆われている。
【００２０】
給電用シールドケーブル２１は、その一端部にて、導体およびシールド層が露出されており、導体には導電性金属製の接続端子３１が接続され、そしてシールド層には導電性金属製の固定リング３３が固定されている。即ち、接続端子３１および固定リング３３は、給電用シールドケーブル２１の一端部の先端に設けられている。
【００２１】
そして、この給電用シールドケーブル２１は、その接続端子３１が、インバータ１２の端子ボックス（即ち、被接続部）３５に差し込まれており、端子ボックス３５内の端子３６（図５等を参照。）に導通している。また、この給電用シールドケーブル２１の固定リング３３は、ネジ（不図示）によって端子ボックス３５に固定されて導通している。これにより、給電用シールドケーブル２１は、そのシールド層が、アース接地された端子ボックス３５に導通し、したがって、導体から外部への電磁波の漏洩が防止されている。
【００２２】
また、信号用シールドケーブル２３は、端部近傍にて、２本の接続端子部２３ａに分離され、端子ボックス３５に接続されている。
【００２３】
給電用シールドケーブル２１にはクランプ４１が遊嵌されている。このクランプ４１は、図３および図４に示すように、所定の間隔をあけて配置された挿通孔４２を有しており、これら挿通孔４２に給電用シールドケーブル２１が挿通される。
【００２４】
このクランプ４１は、合成樹脂から成形されたもので、クランプ本体４４と、このクランプ本体４４に一体的に取り付けられるカバー４５とを有している。クランプ本体４４およびカバー４５には、断面円弧状の凹部４４ａ，４５ａが形成されており、クランプ本体４４に対してカバー４５を取り付けて一体化させると、それぞれの凹部４４ａ，４５ａからなる挿通孔４２が形成される。
【００２５】
つまり、凹部４４ａに給電用シールドケーブル２１を配置させながらクランプ本体４４にカバー４５を取り付けることにより、給電用シールドケーブル２１にクランプ４１が取り付けられ、挿通孔４２に挿通された状態となる。これにより、給電用シールドケーブル２１は、クランプ４１によって互いに所定の間隔をあけた状態に配置される。
【００２６】
これら挿通孔４２の内径は、給電用シールドケーブル２１の外径よりも大径とされており、この挿通孔４２に給電用シールドケーブル２１を挿通させた状態にて、クランプ４１は、給電用シールドケーブル２１を摺動可能に保持する。これにより、クランプ４１は、給電用シールドケーブル２１に対して延長方向へ移動可能とされている。
【００２７】
クランプ４１には、孔部４６を有する固定片４７が形成されており、図２に示すように、この固定片４７の孔部４６にネジ４９を通してインバータ１２に形成されたネジ孔（不図示）へねじ込むことにより、クランプ４１がインバータ１２（即ち、被固定部）の所定位置に固定されている。
【００２８】
これにより、給電用シールドケーブル２１は、その端部近傍部分が、インバータ１２に固定されたクランプ４１によって、互いに間隔をあけた状態に保持されている。
【００２９】
次に、上記のワイヤハーネス１１の配索方法について説明する。
【００３０】
図５〜図７は、ワイヤハーネスの配索方法を説明する概略平面図である。
【００３１】
図５に示すように、まず、ワイヤハーネス１１の延長方向の複数箇所を、固定具２６によって車体のフレーム２５に固定し、クランプ４１をインバータ１２への固定位置よりも給電用シールドケーブル２１の一端部の接続端子３１から離間する方向（図５中矢印Ａ方向、即ち、給電用シールドケーブル２１の他端部側）へ移動させて接続端子３１から極力離しておく。
【００３２】
そして、接続端子３１をインバータ１２の端子ボックス３５へ差し込むべく、ワイヤハーネス１１の給電用シールドケーブル２１の一端部を湾曲させ、接続端子３１をインバータ１２の端子ボックス３５へ向かって図５中矢印Ｂ方向へ移動させる。
【００３３】
このとき、ワイヤハーネス１１の一端部を含む接続端子３１からクランプ４１までの部分は、クランプ４１によるインバータ１２への固定がなされていないことより、接続端子３１をインバータ１２の端子ボックス（即ち、被接続部）３５に差し込んで端子３６に電気的に接続することを容易にするのに十分な長さとなっている。したがって、作業者はワイヤハーネス１１の一端部および該一端部近傍部分を容易に変形させて、端子ボックス３５への接続端子３１の差し込み作業を円滑に行なうことができる。
【００３４】
また、クランプ４１を給電用シールドケーブル２１の接続端子３１から極力離してあるので、接続端子３１の端子ボックス３５への接続作業時にクランプ４１が邪魔となるような不具合もなくすことができる。
【００３５】
図６に示すように、端子ボックス３５へ接続端子３１を差し込むことにより、接続端子３１を端子ボックス３５内の端子３６に接続したら、固定リング３３をネジによって端子ボックス３５に固定する。このようにすると、ワイヤハーネス１１の給電用シールドケーブル１１が端子ボックス３５に確実に接続され、そのシールド層が、アース接地された端子ボックス３５に導通する。
【００３６】
その後、図７に示すように、給電用シールドケーブル２１に沿って給電用シールドケーブル２１の延長方向に移動可能に設けられたクランプ４１をインバータ１２へ向かって図７中矢印Ｃ方向（即ち、給電用シールドケーブル２１の一端部側）へ移動させ、このクランプ４１をネジ４９（図２等を参照。）によってインバータ１２の端子ボックス３５の近傍の所定位置にネジ止め固定する。
【００３７】
このようにすると、インバータ１２の端子ボックス３５に接続された給電用シールドケーブル２１の一端部および該一端部近傍部分が、クランプ４１によって、互いに間隔をあけた状態に保持される。
【００３８】
尚、給電用シールドケーブル２１の接続端子３１の端子ボックス３５への接続の前あるいは後に、信号用シールドケーブル２３の接続端子部２３ａも端子ボックス３５に電気的に接続する。
【００３９】
ここで、図８に示すものは、給電用シールドケーブル２１の端部近傍の所定箇所にクランプ５１を固着させたワイヤハーネス１１の配索例を示すものである。
【００４０】
この例では、給電用シールドケーブル２１の一端部近傍の所定部分にクランプ５１が一体的に固着され、そして該クランプ５１がインバータ１２に固定され、これにより給電用シールドケーブル２１をその延長方向に不動に固定した後に、接続端子３１が端子ボックス３５に電気的に接続される。
【００４１】
このような配索手順では、接続端子３１を端子ボックス３５に接続するための給電用シールドケーブル２１の曲げ作業をするのに十分な長さを確保できない。
【００４２】
特に、こういった径が太く且つ剛性が高い給電用シールドケーブル２１がその一端部の所で湾曲される配索レイアウトであると、接続端子３１を端子ボックス３５に接続する接続作業を円滑に行なうことができなくなる。
【００４３】
以上、説明したように、本実施形態のワイヤハーネスあるいはワイヤハーネスの配索方法を採用すれば、クランプ４１が給電用シールドケーブル２１に対して該給電用シールドケーブル２１の延長方向に移動可能に設けられているので、クランプ４１を給電用シールドケーブル２１の一端部から離間するように該給電用シールドケーブル２１の他端部の方へ移動させておき、該給電用シールドケーブル２１の接続端子３１を端子ボックス３５に接続した後に、クランプ４１を給電用シールドケーブル２１の一端部へ向けて移動させ、そして該クランプ４１をインバータ１２の所定位置に固定することで、該クランプ４１により給電用シールドケーブル２１を所定位置に保持させることができる。こういった構成を採ったことで、接続端子３１を端子ボックス３５に接続するための給電用シールドケーブル２１の曲げ作業をするのに十分な長さを確保することができる。
【００４４】
即ち、クランプ４１により延長方向に不動に固定されていない給電用シールドケーブル２１を持って該給電用シールドケーブル２１の自由度の高い状態の一端部および該一端部近傍部分を円滑に湾曲させながら接続端子３１の端子ボックス３５への接続作業を行ない、そしてその接続作業後にクランプ４１をインバータ１２の所定箇所に固定すればよいのである。このように接続作業を容易に行なえ、よってワイヤハーネスの配索に係る作業性は著しく向上する。
【００４５】
また、クランプ４１が給電用シールドケーブル２１に対して該給電用シールドケーブル２１の延長方向に移動可能であるので、クランプ４１で給電用シールドケーブル２１をその延長方向に不動に固定する構造と比較して、ケーブル長やクランプ４１の固定位置等の寸法交差を無視でき、クランプ４１をインバータ１２の所定位置へ円滑に配置して固定することができる。
【００４６】
特に、上記のワイヤハーネス１１では、複数本の給電用シールドケーブル２１を配線した後に、クランプ４１を移動させてインバータ１２の所定位置へ固定することにより、クランプ４１を固定した所定位置において複数本の給電用シールドケーブル２１を互いに間隔をあけて保持させることができる。
【００４７】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４８】
例えば、上記実施形態では、２本の給電用シールドケーブル２１に対して、その延長方向へ移動可能にクランプ４１を設けたが、クランプ４１で保持するケーブルの本数は２本に限定されない。
【符号の説明】
【００４９】
１１：ワイヤハーネス
１２：インバータ（被固定部）
２１：給電用シールドケーブル（ケーブル）
３１：接続端子
３５：端子ボックス（被接続部）
４１：クランプ
【図１】
0005478169.tif 000002
【図２】
0005478169.tif 000003
【図３】
0005478169.tif 000004
【図４】
0005478169.tif 000005
【図５】
0005478169.tif 000006
【図６】
0005478169.tif 000007
【図７】
0005478169.tif 000008
【図８】
0005478169.tif 000009